(57)【要約】【課題】本発明は、枚葉物を１枚づつ送出しながらも、枚葉物が巻き込まれることのないガイドバー及び枚葉物フィーダーを提供することを目的とする。【解決手段】本発明のガイドバー１０を、枚葉物フィーダー１２に取り付けた時に、第二のベルトコンベヤ２２の側方から第二のベルトコンベヤ２２に対して平行に延び、先端２４が第一のベルトコンベヤ１８の送出方向後端２０に近接し、第一のベルトコンベヤ１８の送出方向後端２０と第二のベルトコンベヤの送出方向先端２８との隙間３０に枚葉物１４が巻き込まれるのを防止するように構成した。【選択図】図１
2010006512.tif 000002
【特許請求の範囲】
【請求項１】
後工程で枚葉物を袋体に入れるための搬送経路へ該枚葉物を送出する第一のベルトコンベヤと、該第一のベルトコンベヤの送出方向後端側へ該枚葉物を送出する第二のベルトコンベヤと、を含む枚葉物フィーダーに着脱可能に取り付けて使用するガイドバーであり、
前記枚葉物フィーダーに取り付けた時に、前記第二のベルトコンベヤの側方から該第二のベルトコンベヤに対して平行に延び、先端が前記第一のベルトコンベヤの送出方向後端に近接し、該第一のベルトコンベヤの送出方向後端と該第二のベルトコンベヤの送出方向先端との隙間に前記枚葉物が巻き込まれるのを防止するガイドバー。
【請求項２】
前記第一のベルトコンベヤと、該第一のベルトコンベヤよりも前記枚葉物の送出方向後方に位置する前記第二のベルトコンベヤとが平行であり、且つ、該第一のベルトコンベヤの送出方向後端と、該第二のベルトコンベヤの送出方向先端とが近接する前記枚葉物フィーダーに着脱可能に取り付けて使用するガイドバーであり、
前記枚葉物フィーダーに取り付けた時に、先端が前記第一のベルトコンベヤの送出方向に平行な該第一のベルトコンベヤの中心線上近傍に位置する請求項２に記載するガイドバー。
【請求項３】
前記枚葉物フィーダーに固定された第一の棒状部材に係合される第一の係合溝と、
前記枚葉物フィーダーに固定された第二の棒状部材に係合される第二の係合溝と、が設けられ、
前記第二の係合溝のまわりに回動させながら前記第一の係合溝を前記第一の棒状部材から離脱させた後、該第二の係合溝を前記第二の棒状部材から離脱させることにより、前記枚葉物フィーダーから取り外す請求項１又は請求項２に記載するガイドバー。
【請求項４】
後工程で枚葉物を袋体に入れるための搬送経路へ該枚葉物を送出する第一のベルトコンベヤと、
前記第一のベルトコンベヤの送出方向後端側へ前記枚葉物を送出する第二のベルトコンベヤと、
前記第二のベルトコンベヤの側方から該第二のベルトコンベヤに対して平行に延び、先端が前記第一のベルトコンベヤの送出方向後端に近接するように、着脱可能に取り付けられ、該第一のベルトコンベヤの送出方向後端と該第二のベルトコンベヤの送出方向先端との隙間に前記枚葉物が巻き込まれるのを防止するガイドバーと、
を含む枚葉物フィーダー。
【請求項５】
前記第一のベルトコンベヤと、該第一のベルトコンベヤよりも前記枚葉物の送出方向後方に位置する前記第二のベルトコンベヤとが平行であり、且つ、該第一のベルトコンベヤの送出方向後端と、該第二のベルトコンベヤの送出方向先端とが近接し、
前記取り付けられたガイドバーの先端が前記第一のベルトコンベヤの送出方向に平行な該第一のベルトコンベヤの中心線上近傍に位置する請求項４に記載する枚葉物フィーダー。
【発明の詳細な説明】
【技術分野】
【０００１】
本発明は、枚葉物を後工程において丁合いするために枚葉物を１枚づつ順次送り出していく枚葉物フィーダーに取り付けて使用するガイドバー及びその枚葉物フィーダーに関する。
【０００２】
従来から、枚葉物を後工程で丁合いするために枚葉物を１枚づつ順次送り出していく枚葉物フィーダーが使用されている。また、枚葉物を１枚づつ取り出す装置に関して案出がなされている（例えば、特許文献１参照。）。枚葉物フィーダーの一例として、枚葉物フィーダー１を図５に示す。この枚葉物フィーダー１は、枚葉物２を袋体に入れるための搬送経路８へ枚葉物２を送出する第一のベルトコンベヤ３と、積み重ねた枚葉物２を１枚づつ第一のベルトコンベヤ３の送出方向後端４側へ送出する第二のベルトコンベヤ５とを備えている。このような枚葉物フィーダー１を搬送経路８に沿って複数台配置することにより、種々の枚葉物２を搬送経路８上で丁合いしていくことができる。
【０００３】
しかし、この枚葉物フィーダー１によれば、第一のベルトコンベヤ３へ送出する枚葉物２が、第二のベルトコンベヤ５の回転によって、第一のベルトコンベヤ３の送出方向後端４と第二のベルトコンベヤ５の送出方向先端６との隙間７に巻き込まれることがあった。特に、枚葉物２が柔らかい素材から構成されている場合、１枚の枚葉物２は非常に曲がりやすいため、枚葉物２が巻き込まれることが多かった。
【０００４】
【特許文献１】特開２００７−３１１５７号公報
【発明の開示】
【発明が解決しようとする課題】
【０００５】
そこで、本発明者は、このような課題の原因を究明してこのような課題を解決するべく、鋭意研究を重ねた結果、本発明に至ったのである。
【０００６】
すなわち、本発明は、枚葉物を１枚づつ送出しながらも、枚葉物が巻き込まれることのないガイドバー及び枚葉物フィーダーを提供することを目的とする。
【課題を解決するための手段】
【０００７】
本発明のガイドバーは、後工程で枚葉物を袋体に入れるための搬送経路へ該枚葉物を送出する第一のベルトコンベヤと、該第一のベルトコンベヤの送出方向後端側へ該枚葉物を送出する第二のベルトコンベヤと、を含む枚葉物フィーダーに着脱可能に取り付けて使用するガイドバーであり、前記枚葉物フィーダーに取り付けた時に、前記第二のベルトコンベヤの側方から該第二のベルトコンベヤに対して平行に延び、先端が前記第一のベルトコンベヤの送出方向後端に近接し、該第一のベルトコンベヤの送出方向後端と該第二のベルトコンベヤの送出方向先端との隙間に前記枚葉物が巻き込まれるのを防止することを特徴とする。
【０００８】
また、本発明のガイドバーは、前記ガイドバーにおいて、前記第一のベルトコンベヤと、該第一のベルトコンベヤよりも前記枚葉物の送出方向後方に位置する前記第二のベルトコンベヤとが平行であり、且つ、該第一のベルトコンベヤの送出方向後端と、該第二のベルトコンベヤの送出方向先端とが近接する前記枚葉物フィーダーに着脱可能に取り付けて使用するガイドバーであり、前記枚葉物フィーダーに取り付けた時に、先端が前記第一のベルトコンベヤの送出方向に平行な該第一のベルトコンベヤの中心線上近傍に位置することを特徴とする。
【０００９】
また、本発明のガイドバーは、前記ガイドバーにおいて、前記枚葉物フィーダーに固定された第一の棒状部材に係合される第一の係合溝と、前記枚葉物フィーダーに固定された第二の棒状部材に係合される第二の係合溝と、が設けられ、前記第二の係合溝のまわりに回動させながら前記第一の係合溝を前記第一の棒状部材から離脱させた後、該第二の係合溝を前記第二の棒状部材から離脱させることにより、前記枚葉物フィーダーから取り外すことを特徴とする。
【００１０】
本発明の枚葉物フィーダーは、後工程で枚葉物を袋体に入れるための搬送経路へ該枚葉物を送出する第一のベルトコンベヤと、前記第一のベルトコンベヤの送出方向後端側へ前記枚葉物を送出する第二のベルトコンベヤと、前記第二のベルトコンベヤの側方から該第二のベルトコンベヤに対して平行に延び、先端が前記第一のベルトコンベヤの送出方向後端に近接するように、着脱可能に取り付けられ、該第一のベルトコンベヤの送出方向後端と該第二のベルトコンベヤの送出方向先端との隙間に前記枚葉物が巻き込まれるのを防止するガイドバーと、を含むことを特徴とする。
【００１１】
また、本発明の枚葉物フィーダーは、前記枚葉物フィーダーにおいて、前記第一のベルトコンベヤと、該第一のベルトコンベヤよりも前記枚葉物の送出方向後方に位置する前記第二のベルトコンベヤとが平行であり、且つ、該第一のベルトコンベヤの送出方向後端と、該第二のベルトコンベヤの送出方向先端とが近接し、前記取り付けられたガイドバーの先端が前記第一のベルトコンベヤの送出方向に平行な該第一のベルトコンベヤの中心線上近傍に位置することを特徴とする。
【発明の効果】
【００１２】
本発明のガイドバー及び枚葉物フィーダーによれば、ガイドバーを枚葉物フィーダーに取り付けた時に、第二のベルトコンベヤの側方から第二のベルトコンベヤに対して平行に延び、ガイドバーの先端が第一のベルトコンベヤの送出方向後端に近接するため、第一のベルトコンベヤの送出方向後端と第二のベルトコンベヤの送出方向先端との隙間に枚葉物が巻き込まれるのを防止することを防止できる。このため、枚葉物を１枚づつ送出しながらも、枚葉物が巻き込まれるのを防止できる。
【発明を実施するための最良の形態】
【００１３】
次に、本発明に係るガイドバー及び枚葉物フィーダーについて、図面に基づいて詳しく説明する。図１〜図４において、符号１０は本発明のガイドバーを、符号１２は本発明の枚葉物フィーダーを示す。
【００１４】
本発明のガイドバー１０は、図１〜図３に示すように、後工程で枚葉物１４を袋体に入れるための搬送経路１６へ枚葉物１４を送出する第一のベルトコンベヤ１８と、第一のベルトコンベヤ１８の送出方向後端２０側へ枚葉物１４を送出する第二のベルトコンベヤ２２と、を含む枚葉物フィーダー１２に着脱可能に取り付けて使用するガイドバーである。ガイドバー１０は、枚葉物フィーダー１２に取り付けた時に、第二のベルトコンベヤ２２の側方から第二のベルトコンベヤ２２に対して平行に延び、先端２４が第一のベルトコンベヤ１８の送出方向後端２０に近接し、第一のベルトコンベヤ１８の送出方向後端２０と第二のベルトコンベヤの送出方向先端２８との隙間３０に枚葉物１４が巻き込まれるのを防止するように構成されている。なお、先端２４付近において裏面に図１に示す斜面２５を形成しているため、先端２４を第一のベルトコンベヤ１８の送出方向後端２０に極力近接させることができる。
【００１５】
また、本発明のガイドバー１０は、図２に示すように、第一のベルトコンベヤ１８と、第一のベルトコンベヤ１８よりも枚葉物１４の送出方向後方に位置する第二のベルトコンベヤ２２とが平行であり、且つ、第一のベルトコンベヤ１８の送出方向後端２０と、第二のベルトコンベヤ２２の送出方向先端２８とが近接する枚葉物フィーダー１２であって、第一のベルトコンベヤ１８及び第二のベルトコンベヤ２２が所謂互い違いに配置された枚葉物フィーダー１２に着脱可能に取り付けて使用し、枚葉物フィーダー１２に取り付けた時に、ガイドバー１０の先端２４が第一のベルトコンベヤ１８の送出方向に平行な第一のベルトコンベヤ１８の中心線Ｃ上近傍に位置するように構成されている。
【００１６】
また、本発明のガイドバー１０は、図３及び図４に示すように、枚葉物フィーダー１２に固定された第一の棒状部材３２に係合される第一の係合溝３４と、枚葉物フィーダー１２に固定された第二の棒状部材３６に係合される第二の係合溝３８と、が設けられている。これにより、ガイドバー１０を第二の係合溝３８のまわりに回動させながら第一の係合溝３４を第一の棒状部材３２から離脱させた後、第二の係合溝３８を第二の棒状部材３６から離脱させることにより、枚葉物フィーダー１２から取り外すことができる。なお、螺子を螺入することにより第二の係合溝３８を第二の棒状部材３６へ固定するための孔４６が設けられている。
【００１７】
よって、本発明の枚葉物フィーダー１２は、上記第一のベルトコンベヤ１８と、上記第二のベルトコンベヤ２２と、上記ガイドバー１０と、を含んで構成される。また、第一のベルトコンベヤ１８と、第一のベルトコンベヤ１８よりも枚葉物１４の送出方向後方に位置する第二のベルトコンベヤ２２とが平行であり、且つ、第一のベルトコンベヤ１８の送出方向後端２０と、第二のベルトコンベヤ２２の送出方向先端２８とが近接し、取り付けられたガイドバー１０の先端２４が第一のベルトコンベヤ１８の送出方向に平行な第一のベルトコンベヤ１８の中心線Ｃ上近傍に位置し、第一のベルトコンベヤ１８の幅内に位置するように構成されている。すなわち、このような第一のベルトコンベヤ１８及び第二のベルトコンベヤ２２の配置であるから、第二のベルトコンベヤ２２同士の隙間を利用してガイドバー１０を取り付けることができ、ガイドバー１０を取り付けるために枚葉物フィーダー１２の構成を変える必要はない。
【００１８】
枚葉物１４は、例えば、ダイレクトメールの封筒（袋体）へ入れる広告紙である。搬送経路１６は、ベルトコンベヤから構成され、枚葉物フィーダー１０を搬送経路１６に沿って複数台配置することにより、種々の枚葉物１４を搬送経路１６上で丁合いしていくことができる。第一のベルトコンベヤ１８は、図１に示すように、第二のベルトコンベヤ２２から送出された枚葉物１４を第三のベルトコンベヤ４０とともに回転して、枚葉物１４を第一のベルトコンベヤ１８と第三のベルトコンベヤ４０との間に挟みながら搬送経路１６へ送出するように構成されている。第二のベルトコンベヤ２２は、回転することにより、上に載置された枚葉物１４を第一のベルトコンベヤ１８と第三のベルトコンベヤ４０との間へ送出するように構成されている。なお、第二のベルトコンベヤ２２の回転速度は、第一のベルトコンベヤ１８及び第三のベルトコンベヤ４０の回転速度よりも低速に設定されている。
【００１９】
このようなガイドバー１０及び枚葉物フィーダー１２を用いて搬送経路１６へ枚葉物１４を１枚づつ順次送る場合、まず、図１に示すように、複数枚重ね合わされた枚葉物１４が第二のベルトコンベヤ２２上に載置される。枚葉物フィーダー１２が稼動すると、第二のベルトコンベヤ２２が回転して、１枚の枚葉物１４が第一のベルトコンベヤ１８の方へ送出される。この時、送出される１枚の枚葉物１４が弛んだとしても、その枚葉物１４がガイドバー１０上を摺動することにより、隙間３０に巻き込まれることはない。このため、ガイドバー１０の作用及びローラー４２の作用が相俟って、枚葉物１４を確実に１枚づつ送出しながらも、曲がりやすい１枚の枚葉物１４が隙間３０に巻き込まれるのを防止できる。特に、ガイドバー１０の先端２４が第一のベルトコンベヤ１８のＣ上に位置するため、１枚の枚葉物１４を安定した状態で確実にガイドバー１０から第一のベルトコンベヤ１８へ送り渡すことができる。
【００２０】
このようにして第一のベルトコンベヤ１８へ送出された枚葉物１４は、第一のベルトコンベヤ１８及び第三のベルトコンベヤ４０が回転することによって、図２に示すように、搬送経路１６上へ送出される。搬送経路１６へ送出された枚葉物１４は後工程で袋体に入れられるために搬送経路１６により後工程へ搬送される。枚葉物１４は、搬送されながら、他の枚葉物フィーダー１２によって他の枚葉物１４が積み重ねられ、複数種の枚葉物１４の丁合いが行われていく。
【００２１】
ここで、枚葉物フィーダー１２により送出していく枚葉物１４の幅が変わる場合には、図２に示す２個のサイドガイド４８の距離Ｗを枚葉物１４の幅に対応させて変えるとともに、ガイドバー１０の数量を変え、又はガイドバー１０を枚葉物１４の幅方向にスライドさせて位置を変える必要がある。この時、第二のベルトコンベヤ２２等も、枚葉物１４の幅に対応させて幅方向にスライドさせることにより位置を変えることができる。
【００２２】
ガイドバー１０の数量等を変えるために、図１に示すように枚葉物フィーダー１２に取り付けられているガイドバー１０を取り外す作用について以下に説明する。なお、ガイドバー１０が枚葉物フィーダー１２に取り付けられている時には、図１に示すように、第二の棒状部材３６と第二の係合溝３８との間に、三日月形の隙間３７が生じている。ガイドバー１０を取り外すためには、先ず孔４６内の螺子を緩めて、図４（ａ）に示すように、ガイドバー１０を第二の棒状部材３６のまわりに時計まわりに僅かな回転角度だけ回転させて第一の係合溝３４を第一の棒状部材３２から離脱させる。次に、図４（ｂ）に示すように、ガイドバー１０を第一の棒状部材３２から第二の棒状部材３６へ向う方向にスライドさせる。ここで、図１に示す隙間３７が生じていたため、第二の棒状部材３６に干渉することなく、このガイドバー１０のスライドを行うことができる。また、第一の係合溝３４の輪郭を途中で切るようなカット面３５をガイドバー１０に形成しているために、第一の棒状部材３２に干渉することなく、このガイドバー１０のスライドを行うことができる。
【００２３】
次に、図４（ｃ）に示すように、ガイドバー１０を第二の棒状部材３６のまわりに更に回転させて第一の係合溝３４を第一の棒状部材３２から離隔させる。ここで、ガイドバー１０を第一の棒状部材３２から第二の棒状部材３６へ向う方向にスライドさせているため、ガイドバー１０の先端２４が第三のベルトコンベヤ４０に干渉することがない。次に、ガイドバー１０を斜め上へ引き抜いて第二の係合溝３８を第二の棒状部材３６から離脱させて離隔させる。ここで、ガイドバー１０の第一の係合溝３４近辺に斜面３７を形成しているため、ガイドバー１０が第一の棒状部材に干渉することがない。このようにしてガイドバー１０を枚葉物フィーダー１２から容易且つ迅速に取り外すことができる。
【００２４】
以上、本発明の一実施形態について図面に基づいて説明したが、本発明はその他の態様でも実施できる。例えば、本発明のガイドバー及び枚葉物フィーダーを用いて送出する枚葉物は広告紙に限定されず、冊子、シール、名刺等であってもよい。また、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２５】
本発明のガイドバー及び枚葉物フィーダーによれば、枚葉物を１枚づつ送出しながらも、枚葉物が巻き込まれるのを防止できる。このため、枚葉物を後工程へ１枚づつ送出するために広く利用できる。
【図面の簡単な説明】
【００２６】
【図１】本発明のガイドバー及び枚葉物フィーダーを示す側面断面図である。
【図２】図１のガイドバー及び枚葉物フィーダーを示す平面図である。
【図３】図１のガイドバーを示す図であり、同図（ａ）は平面図であり、同図（ｂ）は側面図である。
【図４】図１のガイドバーを枚葉物フィーダーから取り外す状態を示す図であり、同図（ａ）は第一の係合溝を第一の棒状部材から離脱させる状態を示す側面図であり、同図（ｂ）は第二の係合溝を第二の棒状部材から離脱させる状態を示す側面図である。
【図５】従来の枚葉物フィーダーを示す側面図である。
【符号の説明】
【００２７】
１０：ガイドバー
１２：枚葉物フィーダー
１４：枚葉物
１６：搬送経路
１８：第一のベルトコンベヤ
２０：送出方向後端
２２：第二のベルトコンベヤ
２４：先端
２８：送出方向先端
３０：隙間
３２：第一の棒状部材
３４：第一の係合溝
３６：第二の棒状部材
３８：第二の係合溝
４０：第三のベルトコンベヤ
４２：ローラー
【図１】
2010006512.tif 000003
【図２】
2010006512.tif 000004
【図３】
2010006512.tif 000005
【図４】
2010006512.tif 000006
【図５】
2010006512.tif 000007